(57)【要約】端末の背面及び前面を保護しつつ、全体として体積が小さな携帯情報端末の保護具を提供する。本発明によれば、携帯情報端末を保護する保護具であって、前記携帯情報端末の背面を保護する背面保護部と、前記背面保護部に設けられ且つ前記携帯情報端末と係合する背面側係合部と、  前記背面保護部の側面から延在し且つ前記携帯情報端末の前面を保護する前面保護部と、前記前面保護部に設けられ且つ前記背面側係合部と係合する前面側係合部と、を有する保護具が提供される。
2017111018.tif 000002
【特許請求の範囲】
【請求項１】
携帯情報端末を保護する保護具であって、
前記携帯情報端末の背面を保護する背面保護部と、
前記背面保護部に設けられ且つ前記携帯情報端末と係合する背面側係合部と、
前記背面保護部の側面から延在し且つ前記携帯情報端末の前面を保護する前面保護部と、
前記前面保護部に設けられ且つ前記背面側係合部と係合する前面側係合部と、
を有する保護具。
【請求項２】
前記前面側係合部は、前記前面保護部が前記携帯情報端末の前面を保護している状態において、前記前面側係合部と係合するように構成される、
請求項１に記載の保護具。
【請求項３】
前記前面側係合部は、前記背面側係合部の側面の少なくとも一部と係合するような湾曲形状である、
請求項１又は請求項２に記載の保護具。
【請求項４】
前記前面側係合部又は前記背面側係合部の一方に係止突起を備え、他方に係止溝を備える、
請求項１〜請求項３のいずれか１項に記載の保護具。
【請求項５】
前記前面保護部は、前記携帯情報端末の一方の側面を介して前記携帯情報端末の前面を保護する、
請求項１〜請求項４のいずれか１項に記載の保護具。
【請求項６】
前記前面側係合部は、前記携帯情報端末の他方の側面にて前記背面側係合部と係合するように構成される、
請求項１〜請求項５のいずれか１項に記載の保護具。
【請求項７】
前記背面側係合部は、前記携帯情報端末の四隅又は側面の少なくとも一部と係合する、
請求項１〜請求項６のいずれか１項に記載の保護具。
【請求項８】
前記背面側係合部は、前記携帯情報端末の他方の側面に対応する箇所が開放されている、
請求項１〜請求項７のいずれか１項に記載の保護具。
【請求項９】
前記背面保護部を構成する背面プレートと、前記前面保護部を構成する前面プレートと、が屈曲可能な屈曲カバーで覆われる、
請求項１〜８のいずれか１項に記載の保護具。
【請求項１０】
前記保護具の長手方向から見た断面において、前記前面側係合部と前記屈曲カバーが段差なく繋がるように構成される、
請求項９のいずれか１項に記載の保護具。
【請求項１１】
前記背面保護部は、前記携帯情報端末と対向する面にカードを収容するカード収容部を有する、
請求項１〜請求項１０のいずれか１項に記載の保護具。
【発明の詳細な説明】
【技術分野】
【０００１】
本発明は、スマートフォン、タブレット端末等の情報端末用の保護具に関する。
【背景技術】
【０００２】
各社から発売されているスマートフォンやタブレット端末は画面による直感的な操作が可能であり、携帯性のよさから多くのユーザーに利用されている。【０００３】
ユーザーはスマートフォンやタブレット端末をポケットや鞄に入れて持ち歩くことが多く、傷がつきやすい。また、条件によっては画面が割れてしまうことも多い。【０００４】
そこで、スマートフォンやタブレット端末の画面を保護するため、端末の背面を保護するケースと、かかるケースから延在し且つ端末の側面から画面側に回り込み画面を保護するフリップカバーを備える手帳型のケースが利用されることがある。【０００５】
特許文献１には、携帯型情報端末用ケースであって、前記携帯型情報端末は、平板状の形状を有するとともに、前記携帯型情報端末の前面にタッチパネルを備えており、前記携帯型情報端末用ケースは、
前記携帯型情報端末の側面および背面が嵌め込まれるケース本体と、前記ケース本体が取り付けられる保護カバーと、を備え、前記ケース本体は、前記ケース本体の背面に、前記保護カバーに取り付けるためのフックを不動に備えており、前記保護カバーは、前記保護カバーの内面に、前記フックが引っ掛けられる引掛部を備えており、前記ケース本体において、前記フックは、前記引掛部への引っ掛け方向に対して垂直な方向について、前記ケース本体の両側面から前記ケース本体の幅に対して１／６以内の位置に、前記フックの両端部がそれぞれ位置するように設けられている、携帯型情報端末用ケースが開示されている。
【先行技術文献】
【特許文献】
【０００６】
【特許文献１】特開２０１４−１５５１３５号公報
【発明の概要】
【発明が解決しようとする課題】
【０００７】
特許文献１に開示されている発明は、端末の背面と画面を保護することが可能である。しかし、ケース本体を保護カバーに取り付けるためにフックが必要であり、美観を損ね、体積が大きくなってしまう。また、別の方法として、ケース本体と保護カバーをボタンで止めるケースも存在するが、この方法でもボタンの分だけ体積が大きくなってしまう。【０００８】
本発明はこのような事情に鑑みてなされたものであり、端末の背面及び前面を保護しつつ、全体として体積が小さな携帯情報端末の保護具を提供するものである。
【課題を解決するための手段】
【０００９】
本発明によれば、携帯情報端末を保護する保護具であって、前記携帯情報端末の背面を保護する背面保護部と、前記背面保護部に設けられ且つ前記携帯情報端末と係合する背面側係合部と、前記背面保護部の側面から延在し且つ前記携帯情報端末の前面を保護する前面保護部と、前記前面保護部に設けられ且つ前記背面側係合部と係合する前面側係合部と、を有する保護具が提供される。【００１０】
本発明のポイントは、携帯情報端末の背面を保護する背面保護部に設けられ且つ携帯情報端末と係合する背面側係合部と、背面保護部の側面から延在し且つ携帯情報端末の前面を保護する前面保護部に設けられた前面側係合部が係合する点にある。これにより、不要な機構を設けることなく背面保護部と前面保護部を係止することが可能となる。したがって、美観を向上させつつ全体の体積を小さくすることが可能となる。【００１１】
以下、本発明の種々の実施形態を例示する。以下に示す実施形態は互いに組み合わせ可能である。
好ましくは、前記前面側係合部は、前記前面保護部が前記携帯情報端末の前面を保護している状態において、前記前面側係合部と係合するように構成される。
好ましくは、前記前面側係合部は、前記背面側係合部の側面の少なくとも一部と係合するような湾曲形状である。
好ましくは、前記前面側係合部又は前記背面側係合部の一方に係止突起を備え、他方に係止溝を備える。
好ましくは、前記前面保護部は、前記携帯情報端末の一方の側面を介して前記携帯情報端末の前面を保護する。
好ましくは、前記前面側係合部は、前記携帯情報端末の他方の側面にて前記背面側係合部と係合するように構成される。
好ましくは、前記背面側係合部は、前記携帯情報端末の四隅又は側面の少なくとも一部と係合する。
好ましくは、前記背面側係合部は、前記携帯情報端末の他方の側面に対応する箇所が開放されている。
好ましくは、前記背面保護部を構成する背面プレートと、前記前面保護部を構成する前面プレートと、が屈曲可能な屈曲カバーで覆われる。
好ましくは、前記保護具の長手方向から見た断面において、前記前面側係合部と前記屈曲カバーが段差なく繋がるように構成される。
好ましくは、前記背面保護部は、前記携帯情報端末と対向する面にカードを収容するカード収容部を有する。
【図面の簡単な説明】
【００１２】
【図１】（ａ）は第１実施形態に係る保護具１の斜視図であり、（ｂ）は携帯情報端末１００の斜視図である。
【図２】前面側係合部１４が背面側係合部１２と係合した状態を表す図であり、（ａ）は一実施形態の例、（ｂ）は第１の変形例、（ｃ）は第２の変形例、（ｄ）は第３の変形例である。（ｅ）は（ｃ）の前面側係合部１４と背面側係合部１２を離した状態の部分拡大図、（ｆ）は（ｄ）の前面側係合部１４と背面側係合部１２を離した状態の部分拡大図である。
【図３】前面側係合部１４が背面側係合部１２と係合した状態の他の例を表す図であり、図７のＢ−Ｂ'線断面図の種々の例である。（ａ）は前面側係合部１４に指掛かりとして機能する凸部１４ａを設けた例であり、（ｂ）は前面側係合部１４の先端の一部に切欠状の凹部１４ｂを設け、前面側係合部１４の先端壁１４ｃが指掛かりとして機能する例であり、（ｃ）は背面側係合部１２に切欠状の凹部１２ｂを設け、前面側係合部１４の先端１４ｄが指掛かりとして機能する例である。（ｄ）、（ｅ）、（ｆ）はそれぞれ（ａ）、（ｂ）、（ｃ）の矢印で示される箇所付近の部分拡大図である。図中において、斜線部分は端面を表す。
【図４】図１（ａ）の保護具１を矢印Ｕ方向から見たときの端面を説明するための模式図である。
【図５】第１実施形態に係る保護具１の前面保護部１３を開いた状態における６面図及びＡ−Ｂ−Ｃ−Ｄ線組み合わせ端面図である。（ａ）は正面図、（ｂ）は左側面図、（ｃ）は右側面図、（ｄ）はＡ−Ｂ−Ｃ−Ｄ線組み合わせ端面図、（ｅ）は平面図、（ｆ）は底面図、（ｇ）は背面図である。図中の破線は第１実施形態に係る保護具１の特徴的な箇所を示す。
【図６】第１実施形態に係る保護具１の特徴的な箇所を実線で示す図であり、（ａ）は領域Ｐにおける特徴的な箇所を、（ｂ）は領域Ｑにおける特徴的な箇所を、（ｃ）は領域Ｑにおける特徴的な箇所を示す図である。
【図７】第１実施形態に係る保護具１の前面保護部１３を閉じた状態における６面図及びＡ−Ａ'線端面図である。（ａ）は正面図、（ｂ）は左側面図、（ｃ）は右側面図、（ｄ）はＡ−Ａ'線端面図、（ｅ）は平面図、（ｆ）は底面図、（ｇ）は背面図である。
【図８】（ａ）は第２実施形態に係る保護具１のカード収容部１６にシート１７を取り付ける前の状態を表す斜視図であり、（ｂ）はカード収容部１６にシート１７を取り付けた後の状態を表す斜視図であり、（ｃ）は（ａ）の領域Ｘを矢印Ｕ方向から見た断面図である。図８（ｃ）において、斜線部分は端面を表す。また、着色部分が第２実施形態における特徴的な箇所である。
【図９】第２実施形態に係る保護具１の前面保護部１３を開いた状態における６面図、Ａ−Ｂ−Ｃ−Ｄ線組み合わせ端面図及び特徴的な箇所を表した図である。（ａ）は正面図、（ｂ）は左側面図、（ｃ）は右側面図、（ｄ）はＡ−Ｂ−Ｃ−Ｄ線組み合わせ端面図、（ｅ）は平面図、（ｆ）は底面図、（ｇ）は背面図、（ｈ）は第２実施形態に係る保護具１の特徴的な箇所を着色で示す図であり、領域Ｒにおける矢印Ｚ方向から見た断面図である。
【図１０】第２実施形態に係る保護具１の前面保護部１３を閉じた状態における６面図及びＡ−Ａ'線端面図である。（ａ）は正面図、（ｂ）は左側面図、（ｃ）は右側面図、（ｄ）はＡ−Ａ'線端面図、（ｅ）は平面図、（ｆ）は底面図、（ｇ）は背面図である。
【００１３】
以下、本発明の実施形態について説明する。以下の実施形態は、例示であって、本発明の範囲は、以下の実施形態で示すものに限定されない。【００１４】
＜第１実施形態＞
以下、図１〜図７を用いて本発明の第１実施形態に係る保護具１ついて説明する。以下に示す実施形態中で示した各種特徴事項は、互いに組み合わせ可能である。また、各特徴事項について独立して発明が成立する。【００１５】
図１（ａ）は第１実施形態に係る保護具１の斜視図であり、図１（ｂ）は携帯情報端末１００の斜視図である。携帯情報端末１００は例えばアップル社のｉＰｈｏｎｅ６であり、保護具１は携帯情報端末１００の背面及び前面を保護するものである。図１（ａ）に示されるように、保護具１は、携帯情報端末１００の背面を保護する背面保護部１１を有する。背面保護部１１には、携帯情報端末１００と係合する背面側係合部１２が設けられる。背面側係合部１２と携帯情報端末１００との係合の仕方は特に限定されないが、例えば、背面側係合部１２と、携帯情報端末１００の四隅又は側面の少なくとも一部と、が係合することとしてもよい。第１実施形態では、背面側係合部１２は背面保護部１１の上下に２つ設けられ、携帯情報端末１００の上下の側面を収納するとともに、携帯情報端末１００の四隅と係合する。これにより、背面保護部１１が携帯情報端末１００の背面側から装着される。また、背面側係合部１２は、携帯情報端末１００の四隅に対応する箇所が略直角となっている。これにより、携帯情報端末１００に保護具１を装着した状態において、全体として直方体のようになり、名刺入れのような高級感を演出することができる。【００１６】
また、保護具１は、背面保護部１１の側面から延在し且つ携帯情報端末１００の前面を保護する前面保護部１３を有する。前面保護部１３は、携帯情報端末１００の一方の側面を介して携帯情報端末１００の前面を保護する。ここで、図１（ａ）の例では、図中の左側の側面が一方の側面にあたる。そして、前面保護部１３には、背面側係合部１２と係合する前面側係合部１４が設けられる。前面側係合部１４は、前面保護部１３が携帯情報端末１００の前面を保護している状態において、背面側係合部１２と係合するように構成される。また、前面側係合部１４は、携帯情報端末１００の他方の側面にて背面側係合部１２と係合するように構成される。したがって、背面側係合部１２は、携帯情報端末１００と係合するとともに、前面側係合部１４とも係合する。ここで、図１（ａ）の例では、図中の右側の側面が他方の側面にあたる。第１実施形態では、背面側係合部１２は、携帯情報端末１００の他の側面に対応する箇所が開放されている。これにより、保護具１を携帯情報端末１００に装着した場合でも、携帯情報端末１００の側面に位置する電源ボタン１０５ｅ等を押すときや、画面の側面の湾曲部から指をスライドさせる操作を妨げることがない。【００１７】
また、背面保護部１１は、開口部１５ａ〜１５ｄを備える。開口部１５ａは携帯情報端末１００の背面カメラを露出させるものであり、開口部１５ｂは携帯情報端末１００のイヤホンジャック１０５ｂを露出させるものであり、開口部１５ｃは携帯情報端末１００のコネクタ１０５ｃを露出させるものであり、開口部１５ｄは携帯情報端末１００のスピーカー１０５ｄを露出させるものである。なお、開口部１５の形状はこれらに限定されず、端部から切り欠かれた切欠部としてもよい。【００１８】
図２は、第１実施形態に係る前面側係合部１４が背面側係合部１２と係合した状態を表す図である。図２（ａ）は、前面側係合部１４が背面側係合部１２の側面をほとんど覆う場合の例である。図２（ｂ）は、前面側係合部１４が背面側係合部１２の側面を９０°以上１８０°未満に亘って覆う場合の例である。このように、図２（ａ）及び図２（ｂ）では、前面側係合部１４が、背面側係合部１２側面の少なくとも一部と係合するような湾曲形状をしている。図２（ｃ）は前面側係合部１４が係止突起１９ａを備え、背面側係合部１２が係止溝１９ｂを供える場合の例である。詳細は図２（ｅ）を参照されたい。図２（ｄ）は背面側係合部１２が係止突起１９ａを備え、前面側係合部１４が係止溝１９ｂを供える場合の例である。詳細は図２（ｆ）を参照されたい。図２（ｃ）及び（ｄ）の例では、係止突起１９ａが係止溝１９ｂと係止することにより、前面側係合部１４と背面側係合部１２の係合を強固にすることができる。なお、係止突起１９ａ及び係止溝１９ｂの位置、大きさ、形状、数は特に限定されない。【００１９】
図３は、第１実施形態に係る前面側係合部１４が背面側係合部１２と係合した状態の他の例を表す図であり、図７のＢ−Ｂ'線断面図の種々の例である。これらの形状は第１実施形態に係る保護具１の変形例であり、前面側係合部１４と背面側係合部１２の係合を解除しやすくするために指掛かりを設けたものである。図３（ａ）は前面側係合部１４に指掛かりとして機能する凸部１４ａを設けた例であり、（ｂ）は前面側係合部１４の先端の一部に切欠状の凹部１４ｂを設け、前面側係合部１４の先端壁１４ｃが指掛かりとして機能する例であり、（ｃ）は背面側係合部１２に切欠状の凹部１２ｂを設け、前面側係合部１４の先端１４ｄが指掛かりとして機能する例である。図３（ｄ）、（ｅ）、（ｆ）はそれぞれ図３（ａ）、（ｂ）、（ｃ）の矢印で示される箇所付近の部分拡大図である。図３（ａ）及び（ｅ）に示されるように、前面側係合部１４に凸部１４ａを設けて指掛かりとしたり、図３（ｂ）及び（ｅ）、図３（ｃ）及び（ｆ）に示されるように、前面側係合部１４又は背面側係合部１２の一部に凹部１４ｂ又は凹部１２ｂを設け、前面側係合部１４の先端壁１４ｃ又は先端１４ｄを指掛かりとして機能させることで、ユーザーが前面側係合部１４と背面側係合部１２の係合を解除しやすくなる。なお、これらの指掛かりの位置、大きさ、形状、数は任意であり、例えば前面側係合部１４又は背面側係合部１２の長手方向の全てに亘って形成されてもよく、長手方向の一部に形成されてもよい。また、長手方向の中心付近、両端部又はその間の箇所において部分的に形成されてもよい。【００２０】
図４は図１（ａ）の保護具１を矢印Ｕ方向から見たときの端面を説明するための模式図である。図２に示されるように、第１実施形態に係る保護具１は、背面プレート１１ａと前面プレート１３ａが空間３０を隔てて屈曲可能な屈曲カバーにより被覆されている。ここで、第１実施形態では、屈曲カバーとしてレザーカバー２０を採用した。なお、レザーカバー２０としては、天然のレザーに加え、合皮やフェイクレザーを利用することもできる。背面プレート１１ａ及び前面プレート１３ａは、例えばポリカーボネート、プラスチックその他の任意の樹脂素材又は任意の素材により形成することができる。第１実施形態に係る保護具１では、背面プレート１１ａが背面保護部１１を構成し、前面プレート１３ａが前面保護部１３を構成する。そして、前面側係合部１４とレザーカバー２０が段差なく繋がるように構成される（図２中の下側）。かかる構成により、前面保護部１３を閉じた状態において前面保護部１３の表面（図２中の下側）が滑らかとなり、美観が向上するとともに、操作性が向上する。さらに、上下のレザーカバー２０を縫製するコバ処理の必要がなくなるので、生産性が向上し、コストが低減する。なお、背面プレート１１ａと前面プレート１３ａの間に空間３０を設ける代わりに、背面プレート１１ａと前面プレート１３ａを回転軸で連結する構成としてもよい。【００２１】
このように、第１実施形態に係る保護具１は、背面側係合部１２を携帯情報端末１００の四隅と係合させることにより、背面保護部１１を携帯情報端末１００の背面側に装着すことができる。そして、空間３０に相当する箇所（携帯情報端末１００の一方の側面に対応する箇所）で背面保護部１１と前面保護部１３が折り曲がるので、携帯情報端末１００の一方の側面を介して前面保護部１３を携帯情報端末１００の前面にまで到達させることが可能となる。このように、背面保護部１１と前面保護部１３で携帯情報端末１００を挟んだ状態、つまり、前面保護部１３が携帯情報端末１００の前面を保護している状態において、携帯情報端末１００の他の側面にて前面側係合部１４が背面側係合部１２と係合することにより、背面保護部１１と前面保護部１３が係止される。かかる構成により、携帯情報端末１００の背面及び前面を保護しつつ、全体として体積が小さな保護具１が提供される。加えて、保護具１の表面がフラットになるので、操作性及び美観の観点からも好ましい。【００２２】
次に、図５及〜図７を用いて第１実施形態に係る保護具１の６面図、端面図及び第１実施形態に係る保護具１の特徴的な箇所について説明する。図５は第１実施形態に係る保護具１の前面保護部１３を開いた状態における６面図及びＡ−Ｂ−Ｃ−Ｄ線組み合わせ端面図である。図５（ａ）は正面図、（ｂ）は左側面図、（ｃ）は右側面図、（ｄ）はＡ−Ｂ−Ｃ−Ｄ線組み合わせ端面図、（ｅ）は平面図、（ｆ）は底面図、（ｇ）は背面図である。図中の破線は第１実施形態に係る保護具１の特徴的な箇所を示す。その中でも特に、領域Ｐ及び領域Ｑが特徴的である。【００２３】
図６は第１実施形態に係る保護具１の特徴的な箇所を実線で示す図であり、（ａ）は領域Ｐにおける特徴的な箇所を、（ｂ）は領域Ｑにおける特徴的な箇所を、（ｃ）は領域Ｑにおける他の特徴的な箇所を示す図である。図６（ａ）に示されるように、第１実施形態に係る保護具１は、前面保護部１３の側面に前面側係合部１４を設けた点が第１の特徴である。また、前面保護部１３の側面全体に渡って前面側係合部１４を設けた点が第２の特徴である。また、図６（ｂ）に示されるように、第１実施形態に係る保護具１は、背面側係合部１２の角が略直角になっている点が第３の特徴である。また、図６（ｃ）に示されるように、第１実施形態に係る保護具１は、背面側係合部１２の角が略直角になっており、上部からなだらかなカーブを描いている点が第４の特徴である。ここで、略直角とは、例えば９０°、８９°、８８°、８７°、８６°、８５°、８４°、８３°、８２°、８１°、８０°であり、これらの中間の値であってもよい。【００２４】
図７は第１実施形態に係る保護具１の前面保護部１３を閉じた状態における６面図及びＡ−Ａ'線端面図である。図７（ａ）は正面図、（ｂ）は左側面図、（ｃ）は右側面図、（ｄ）はＡ−Ａ'線端面図、（ｅ）は平面図、（ｆ）は底面図、（ｇ）は背面図である。【００２５】
＜第２実施形態＞
次に、図８〜図１０を用いて本発明の第２実施形態に係る保護具１ついて説明する。図８（ａ）は第２実施形態に係る保護具１のカード収容部１６にシート１７を取り付ける前の状態を表す斜視図であり、図８（ｂ）はカード収容部１６にシート１７を取り付けた後の状態を表す斜視図であり、図８（ｃ）は図８（ａ）の領域Ｘを矢印Ｕ方向から見た断面図である。図８（ｃ）において、斜線部分は端面を表す。また、着色部分が第２実施形態における特徴的な箇所である。図８中における符号のうち、図１中の符号と同一の符号についてはそれぞれ同じ部位を表すものとし、その説明を省略する。【００２６】
第２実施形態に係る保護具１は、背面保護部１１にカードを収容するカード収容部１６を備える点で第１実施形態と相違する。カード収容部１６は、背面保護部１１の携帯情報端末１００と対向する面に設けられる。具体的には、背面プレート１１ａの周縁の厚さより背面プレート１１ａの周縁以外を薄い厚さとすることにより、カード収容部１６を形成する。ここで、カードとしては、ＩＣチップを搭載したカードが挙げられる。具体的には、電子マネー搭載カード、公共交通機関で利用可能なカードである。【００２７】
図８（ｃ）に示されるように、背面プレート１１ａの周縁の厚さより背面プレート１１ａの周縁以外を薄い厚さとすることにより、段差１８が形成される。かかる段差１８がカード収容部１６を構成する。そして、カード収容部１６にカードを収容した後に、図８（ｂ）に示されるようなシート１７を取り付ける。これにより、カードを固定することができる。【００２８】
このように、第２実施形態に係る保護具１では、背面保護部１１にカード収容部１６を設けることにより、ユーザーがカードを利用する際にわざわざ財布等を取り出すことなくてすむ。さらに、カードをカードリーダーにかざす際には、携帯情報端末１００の背面からカードリーダーにかざすことになるので、携帯情報端末１００のディスプレイの破損を気にする必要がなくなる。【００２９】
次に、図９及び図１０を用いて第２実施形態に係る保護具１の６面図、端面図及び第２実施形態に係る保護具１の特徴的な箇所について説明する。図９は第２実施形態に係る保護具１の前面保護部１３を開いた状態における６面図及びＡ−Ｂ−Ｃ−Ｄ線組み合わせ端面図である。図９（ａ）は正面図、（ｂ）は左側面図、（ｃ）は右側面図、（ｄ）はＡ−Ｂ−Ｃ−Ｄ線組み合わせ端面図、（ｅ）は平面図、（ｆ）は底面図、（ｇ）は背面図、（ｈ）は第２実施形態に係る保護具１の特徴的な箇所を着色で示す図であり、領域Ｒにおける矢印Ｚ方向から見た断面図である。また、図９（ｈ）中の斜線は端面を表す。このように、第２実施形態に係る保護具１は、背面プレート１１ａの携帯情報端末１００に対向する面に段差１８を設けた点が特徴的である。【００３０】
図１０は第２実施形態に係る保護具１の前面保護部１３を閉じた状態における６面図及びＡ−Ａ'線端面図である。図１０（ａ）は正面図、（ｂ）は左側面図、（ｃ）は右側面図、（ｄ）はＡ−Ａ'線端面図、（ｅ）は平面図、（ｆ）は底面図、（ｇ）は背面図である。【００３１】
以上、本発明の実施形態について説明したが、本発明はこれらに限定されず、背面側係合部１２が携帯情報端末１００と係合し且つ前面側係合部１４とも係合するように構成されていればよい。例えば、背面側係合部１２の四隅を携帯情報端末１００の形状と合わせたラウンド形状としてもよい。また、背面側係合部１２は、携帯情報端末１００の他の側面の一部又は全部を覆う形状としてもよい。また、背面側係合部１２は、携帯情報端末１００の四隅を保持することに代えて、携帯情報端末１００の上下の側面又は左右の側面を保持するようにしてもよい。この場合、前面保護部１３に携帯情報端末１００の左右の側面又は上下の側面と係合する部材をさらに設け、前面保護部１３を閉じた状態において携帯情報端末１００に完全に装着されるようにしてもよい。また、背面側係合部１２と前面側係合部１４の全部又は一部を磁石で構成し、磁力により背面側係合部１２と前面側係合部１４が固定されることとしてもよい。また、係止溝１９ｂに代えて係止穴を設け、係止片１９ａを突き刺すことにより背面側係合部１２と前面側係合部１４を固定することとしてもよい。また、背面保護部１１と前面保護部１３を別の素材で形成してもよい。また、背面プレート１１ａと前面プレート１３ａを回転軸により連結する場合には、レザーカバー２０は必須ではない。さらに、レザーカバー２０に代えて、屈曲性を有する素材を利用することができる。
【符号の説明】
【００３２】
１：保護具、１１：背面保護部、１１ａ：背面プレート、１２：背面側係合部、１２ｂ：凹部、１３：前面保護部、１３ａ：前面プレート、１４：前面側係合部、１４ａ：凸部、１４ｂ：凹部、１４ｃ：先端壁、１４ｄ：先端、１５ａ〜１５ｄ：開口部、１６：カード収容部、１７：シート：１８：段差、１９ａ：係止突起、１９ｂ：係止溝、２０：レザーカバー、３０：空間、１００：携帯情報端末、１０５ｂ：イヤホンジャック、１０５ｃ：コネクタ、１０５ｄ：スピーカー、１０５ｅ：電源ボタン
【図１】
2017111018.tif 000003
【図２】
2017111018.tif 000004
【図３】
2017111018.tif 000005
【図４】
2017111018.tif 000006
【図５】
2017111018.tif 000007
【図６】
2017111018.tif 000008
【図７】
2017111018.tif 000009
【図８】
2017111018.tif 000010
【図９】
2017111018.tif 000011
【図１０】
2017111018.tif 000012
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
携帯情報端末を保護する保護具であって、
前記携帯情報端末の背面を保護する背面保護部と、
前記背面保護部に設けられ且つ前記携帯情報端末と係合する背面側係合部と、
前記背面保護部の側面から延在し且つ前記携帯情報端末の前面を保護する前面保護部と、
前記前面保護部に設けられ且つ前記背面側係合部と係合する前面側係合部と、
を有する保護具。
【請求項２】
前記前面側係合部は、前記前面保護部が前記携帯情報端末の前面を保護している状態において、前記背面側係合部と係合するように構成される、
請求項１に記載の保護具。
【請求項３】
前記前面側係合部は、前記背面側係合部の側面の少なくとも一部と係合するような湾曲形状である、
請求項１又は請求項２に記載の保護具。
【請求項４】
前記前面側係合部又は前記背面側係合部の一方に係止突起を備え、他方に係止溝を備える、
請求項１〜請求項３のいずれか１項に記載の保護具。
【請求項５】
前記前面保護部は、前記携帯情報端末の一方の側面を介して前記携帯情報端末の前面を保護する、
請求項１〜請求項４のいずれか１項に記載の保護具。
【請求項６】
前記前面側係合部は、前記携帯情報端末の他方の側面にて前記背面側係合部と係合するように構成される、
請求項１〜請求項５のいずれか１項に記載の保護具。
【請求項７】
前記背面側係合部は、前記携帯情報端末の四隅又は側面の少なくとも一部と係合する、
請求項１〜請求項６のいずれか１項に記載の保護具。
【請求項８】
前記背面側係合部は、前記携帯情報端末の他方の側面に対応する箇所が開放されている、   請求項１〜請求項７のいずれか１項に記載の保護具。
【請求項９】
前記背面保護部を構成する背面プレートと、前記前面保護部を構成する前面プレートと、が屈曲可能な屈曲カバーで覆われる、
請求項１〜８のいずれか１項に記載の保護具。
【請求項１０】
前記保護具の長手方向から見た断面において、前記前面側係合部と前記屈曲カバーが段差なく繋がるように構成される、   請求項９のいずれか１項に記載の保護具。 
【請求項１１】
前記背面保護部は、前記携帯情報端末と対向する面にカードを収容するカード収容部を有する、   請求項１〜請求項１０のいずれか１項に記載の保護具。
【手続補正２】
【補正対象書類名】明細書
【補正対象項目名】００１１
【補正方法】変更
【補正の内容】
【００１１】
以下、本発明の種々の実施形態を例示する。以下に示す実施形態は互いに組み合わせ可能である。
好ましくは、前記前面側係合部は、前記前面保護部が前記携帯情報端末の前面を保護している状態において、前記背面側係合部と係合するように構成される。
好ましくは、前記前面側係合部は、前記背面側係合部の側面の少なくとも一部と係合するような湾曲形状である。
好ましくは、前記前面側係合部又は前記背面側係合部の一方に係止突起を備え、他方に係止溝を備える。
好ましくは、前記前面保護部は、前記携帯情報端末の一方の側面を介して前記携帯情報端末の前面を保護する。
好ましくは、前記前面側係合部は、前記携帯情報端末の他方の側面にて前記背面側係合部と係合するように構成される。
好ましくは、前記背面側係合部は、前記携帯情報端末の四隅又は側面の少なくとも一部と係合する。
好ましくは、前記背面側係合部は、前記携帯情報端末の他方の側面に対応する箇所が開放されている。
好ましくは、前記背面保護部を構成する背面プレートと、前記前面保護部を構成する前面プレートと、が屈曲可能な屈曲カバーで覆われる。
好ましくは、前記保護具の長手方向から見た断面において、前記前面側係合部と前記屈曲カバーが段差なく繋がるように構成される。
好ましくは、前記背面保護部は、前記携帯情報端末と対向する面にカードを収容するカード収容部を有する。
【手続補正３】
【補正対象書類名】明細書
【補正対象項目名】００２０
【補正方法】変更
【補正の内容】
【００２０】
図４は図１（ａ）の保護具１を矢印Ｕ方向から見たときの端面を説明するための模式図である。図４に示されるように、第１実施形態に係る保護具１は、背面プレート１１ａと前面プレート１３ａが空間３０を隔てて屈曲可能な屈曲カバーにより被覆されている。ここで、第１実施形態では、屈曲カバーとしてレザーカバー２０を採用した。なお、レザーカバー２０としては、天然のレザーに加え、合皮やフェイクレザーを利用することもできる。背面プレート１１ａ及び前面プレート１３ａは、例えばポリカーボネート、プラスチックその他の任意の樹脂素材又は任意の素材により形成することができる。第１実施形態に係る保護具１では、背面プレート１１ａが背面保護部１１を構成し、前面プレート１３ａが前面保護部１３を構成する。そして、前面側係合部１４とレザーカバー２０が段差なく繋がるように構成される（図４中の下側）。かかる構成により、前面保護部１３を閉じた状態において前面保護部１３の表面（図４中の下側）が滑らかとなり、美観が向上するとともに、操作性が向上する。さらに、上下のレザーカバー２０を縫製するコバ処理の必要がなくなるので、生産性が向上し、コストが低減する。なお、背面プレート１１ａと前面プレート１３ａの間に空間３０を設ける代わりに、背面プレート１１ａと前面プレート１３ａを回転軸で連結する構成としてもよい。
【国際調査報告】
2017111018.tif 000013
2017111018.tif 000014
2017111018.tif 000015
2017111018.tif 000016